(57)【要約】【課題】洗濯物を乾燥するための温風の温度を洗濯物の種類に応じて複数段階に設定することを、低コストで可能にする洗濯乾燥機を提供する。【解決手段】加熱手段１９は、送風管路３５内の送風機１８下流位置において、送風方向に直交する方向に並べて配された複数のＰＴＣヒータ１９ａ、１９ｂで構成され、前記複数のＰＴＣヒータ１９ａ、１９ｂに対する通電を個別に開閉する通電切換手段を有し、前記複数のＰＴＣヒータ１９ａ、１９ｂのそれぞれを通過する送風空気量が異なるように構成されている。【選択図】  図６
2004313417.tif 000002
【特許請求の範囲】
【請求項１】
筐体内に防振支持された外槽と、外槽内に回転自在に配設された内槽と、内槽から外槽、熱交換器を通じて再び内槽に戻る循環経路に空気を送給する送風機と、内槽内への送風空気を加熱する加熱手段と、設定入力手段による設定入力に応じて運転を制御する制御手段とを備えてなる洗濯乾燥機において、前記加熱手段は、送風管路内の送風機下流位置において、送風方向に直交する方向に並べて配された複数のＰＴＣヒータで構成され、前記複数のＰＴＣヒータに対する通電を個別に開閉する通電切換手段を有し、前記複数のＰＴＣヒータのそれぞれを通過する送風空気量が異なるように構成されていることを特徴とする洗濯乾燥機。
【請求項２】
ＰＴＣヒータは、ＰＴＣ発熱板と、１対の電極板と、ＰＴＣ発熱板の一面と一方の電極板との間に両者を連結するようにして形成された放熱フィンと、ＰＴＣ発熱板の他面と他方の電極板との間に両者を連結するようにして形成された放熱フィンとからなり、複数のＰＴＣヒータは、積み重なるように配置されると共に、積み重ね部の電極板を共通電極とするように結合されている請求項１記載の洗濯乾燥機。
【請求項３】
加熱手段は１対のＰＴＣヒータで構成され、送風管路の送風機からＰＴＣヒータに至る部分の形状を、送風機の送風中心と１対のＰＴＣヒータの中間中心位置とが偏心する屈曲した形状とし、１対のＰＴＣヒータのそれぞれを通過する送風空気量が異なるように構成した請求項１又は２記載の洗濯乾燥機。
【請求項４】
送風機の送風中心に対する偏心量が大きい側のＰＴＣヒータの外側面と送風管路内面との間の間隙が、他方側のＰＴＣヒータの外側面と送風管路内面との間の間隙よりも大きくなるように両ＰＴＣヒータを配設した請求項３記載の洗濯乾燥機。
【請求項５】
通電制御手段は、設定入力手段からの設定入力に対応する制御手段からの制御により、１対のＰＴＣヒータの全てに通電する状態と、送風機の送風中心に対する偏心量が小さいＰＴＣヒータに通電する状態と、送風機の送風中心に対する偏心量が大きいＰＴＣヒータに通電する状態とのいずれかに切り替え可能に構成された請求項３又は４記載の洗濯乾燥機。
【発明の詳細な説明】
【０００１】
【発明の属する技術分野】
本発明は、洗濯機に乾燥機能を設けた洗濯乾燥機に関し、特に、乾燥のための温風を生成する加熱構造に特徴を有する洗濯乾燥機に関するものである。
【０００２】
【従来の技術】
洗濯機に乾燥機能を設けて洗濯と乾燥とを任意に選択して洗濯から乾燥までを自動的に実施する洗濯乾燥機が知られている。詳細は後述するが、図７に示すように、洗濯及び脱水の機能に加えて乾燥機能を設けて構成されている。
【０００３】
図７において、筐体１内にサスペンション２により防振支持して外槽３が配設され、この外槽３内に底部に攪拌翼６を設けた内槽４が配設され、内槽４及び攪拌翼６はクラッチ９による駆動切換によってモータ２０によりそれぞれ個別に回転駆動される。筐体１の上部に設けられた外蓋１４を開き、外槽３の上部開口を閉じる外槽カバー１１に設けられた内蓋１３を開いて内槽４内に洗濯物及び洗剤を投入し、内槽４内に注水してモータ２０により攪拌翼６を回転させることにより洗濯行程が実施できる。洗濯行程が終了すると、内槽４内の水を排水した後、モータ２０により内槽４を回転させて遠心力により洗濯物に含まれる水を内槽４の周壁に形成された小穴から排出する脱水行程が実施される。脱水行程が終了すると、注水、攪拌、排水、脱水を行うすすぎ行程が実施されることにより洗濯の行程は終了する。
【０００４】
この洗濯行程に加えて乾燥行程が実施できるように、内槽４内から外槽３内に通じて熱交換器１２、送風機６６、ヒータ６７を経て再び内槽４内に戻る空気循環経路が形成されている。前記攪拌翼６によって洗濯物を攪拌しながらヒータ６７によって加熱された温風を送風機６６により内槽４内に送給すると、洗濯物の水分を奪った温風は内槽４の周壁に形成された小穴から外槽３内に出て熱交換器１２内を通過することにより、水分を含む温風は冷却により水分の結露が生じて除湿される。除湿された空気は送風機６６により再びヒータ６７を通して加熱されて内槽４内に送給されるので、この空気循環を繰り返すことにより洗濯物の乾燥がなされる。
【０００５】
上記乾燥行程を実施すると、洗濯物の種類によって高温の温風により傷みや縮みが生じる場合がある。従って、洗濯物の種類によって乾燥のための温度を調節することが要求される。この乾燥行程時の温度調節機能を備えた従来技術として、加熱能力が異なる２つのヒータを用いて、各ヒータに対する通電制御を行うことにより温度調節を可能とした洗濯乾燥機が知られている（特許文献１参照）。
【０００６】
この洗濯乾燥機では、温度検出手段により温風の温度を検出し、洗濯物の種類に応じて選択設定される乾燥温度と比較し、検出温度と乾燥温度とに差異に応じて２つのヒータそれぞれに対する通電時間を制御し、設定された乾燥温度が維持されるようにしている。
【０００７】
【特許文献１】
特開２００２−１５９７７７号公報（第３〜６頁、図２）
【０００８】
【発明が解決しようとする課題】
上記のように加熱能力が異なる２つのヒータへの通電を制御することにより、３段階の乾燥温度を得ることができるが、２種類のヒータを在庫、検査、製造などの段階において管理する必要があり、管理コストが高くなるという問題があった。
【０００９】
本発明が目的とするところは、複数段に乾燥温度を設定できるにもかかわらず、管理が容易でコスト低減を図ることができる加熱構造を備えた洗濯乾燥機を提供することにある。
【００１０】
【課題を解決するための手段】
上記目的を達成するための本発明は、筐体内に防振支持された外槽と、外槽内に回転自在に配設された内槽と、内槽から外槽、熱交換器を通じて再び内槽に戻る循環経路に空気を送給する送風機と、内槽内への送風空気を加熱する加熱手段と、設定入力手段による設定入力に応じて運転を制御する制御手段とを備えてなる洗濯乾燥機において、前記加熱手段は、送風管路内の送風機下流位置において、送風方向に直交する方向に並べて配された複数のＰＴＣヒータで構成され、前記複数のＰＴＣヒータに対する通電を個別に開閉する通電切換手段を有し、前記複数のＰＴＣヒータのそれぞれを通過する送風空気量が異なるように構成されていることを特徴とする。
【００１１】
上記構成によれば、乾燥用空気を加熱する複数のＰＴＣヒータを、同一種類のものとした場合においても、通電切換手段により各ＰＴＣヒータに対する通電を選択し、かつ各ＰＴＣヒータを通過する送風空気量を異なるようにすることにより乾燥温度の切換設定数をＰＴＣヒータの数よりも大とすることができる。従って、洗濯物を乾燥する温風の温度を洗濯物の種類に応じて数多く選択することができ、洗濯物の種類に対応した適正な乾燥温度を設定できる洗濯乾燥機を構成することが可能となる。
【００１２】
【発明の実施の形態】
以下、添付図面を参照して本発明の実施の形態について説明し、本発明の理解に供する。尚、以下に示す実施の形態は本発明を具体化した一例であって、本発明の技術的範囲を限定するものではない。また、従来構成と共通の構成要素には同一の符号を付している。
【００１３】
図１は、本実施形態に係る洗濯乾燥機の全体構成を示すもので、洗濯及び脱水の機能に加えて乾燥機能が設けられている。筐体１内に配設された外槽３は、複数のサスペンション２によって弾性的に吊り下げられた防振構造によって支持され、脱水時の振動をサスペンション２によって吸収できるように構成されている。この外槽３内には、底部に攪拌翼６を配した内槽４が配設され、攪拌翼６と内槽４とは、外槽３の底部に取り付けられたモータ８の回転をクラッチ９により切り換えることにより、それぞれに個別に回転が伝達される。
【００１４】
前記外槽３の上部開口は内蓋１３を開閉自在に設けた外槽カバー１１によって閉じられ、外槽カバー１１には上部開口する内槽４内に通じるように温風噴出口２０と、それに平行する位置に給水口（図示せず）とが設けられている。また、外槽３の底部には排水口２１と、排気口２２とが設けられ、排水口２１は外槽３内の水を排水弁２６を通じて外部に排出できるように構成されている。
【００１５】
前記排気口２２は、乾燥用空気の循環経路を形成するもので、前記温風噴出口２０から内槽４内に送給された温風が内槽４内にある洗濯物の水分を奪い、内槽４の周面に形成された小穴（図示せず）から外槽３内に出てきた湿気を含む空気を外部に導き出す。排気口２２は下部蛇腹ホース２３、循環路切換弁２４を経て熱交換器１２に接続され、熱交換器１２は循環ファン（送風機）１８及び加熱手段１９が設けられた送風管路３５に接続され、送風管路３５は上部蛇腹ホース１７から温風噴出口２０に接続されているので、前記循環ファン１８による送風によって乾燥用空気の循環経路が形成される。
【００１６】
前記筐体１の上部は外蓋１４を開閉自在に設けた筐体カバー１５によって閉じられ、筐体カバー１５の外表面には操作パネル３９が設けられ、操作パネル３９からの操作情報は筐体カバー１５内に配設された制御装置１０に入力され、制御装置１０による各部の制御により、洗濯及び乾燥の動作がなされる。前記外蓋１４を開き、内蓋１３を開いて内槽４内に洗濯物を投入し、操作パネル３９から洗濯コース、乾燥コース、あるいは洗濯から乾燥までを継続するコースを設定し、更には洗濯条件あるいは乾燥条件を選択すると、制御装置１０は設定選択された内容に応じた制御により自動的に洗濯行程及び乾燥行程を実行する。
【００１７】
図２は、制御装置１０による制御回路構成を示すもので、制御装置１０は、マイクロコンピュータによって構成された制御手段４０、モータ８に制御電力を供給するモータ駆動回路４１、加熱手段１９を構成する第１のＰＴＣヒータ１９ａ、第２のＰＴＣヒータ１９ｂ、循環ファン１８、クラッチ９、循環路切換弁２４、排水弁２６などをスイッチング制御するパワースイッチング手段（通電制御手段）４２、設定入力あるいは異常状態を音響報知する報知手段４５、制御動作に必要な情報を記憶する記憶手段４６、モータ８の回転数を検出する回転数検知手段４７、内槽４内に収容されている洗濯物の量を検出する布量検知手段４８、モータ８や制御回路に動作電力を供給する電源回路５０を備えて構成されている。制御手段４０には、内槽４内の水量を検出する水量検知手段４９からの検出出力が入力され、操作パネル３９に設けられた操作ボタンである設定入力手段４３からの設定情報が入力される。また、設定入力された状態や異常状態などは操作パネル３９に設けられた操作表示手段４４に表示される。電源コードを電源コンセントに差し込むことにより洗濯乾燥機はＡＣ電源５１に接続され、操作パネル３９上に設けられた電源ボタンの操作により電源スイッチ５２がＯＮ動作して制御回路に通電され、洗濯乾燥機は運転可能状態となる。
【００１８】
図３は、操作パネル３９の構成例を示すもので、電源接続を操作する電源ボタン５３、運転開始を操作するスタートボタン５４、洗濯行程のみを実施する洗濯設定ボタン５５、乾燥のみを実施する乾燥設定ボタン５６、洗濯に引き続いて乾燥を実施する洗濯・乾燥設定ボタン５７が設けられている。また、洗濯設定ボタン５５の押圧を繰り返すことにより、洗濯条件を設定する各コースを順次選択することができ、選択した洗濯コースが洗濯コース表示部５８に表示される。また、乾燥設定ボタン５６の押圧を繰り返すことにより、乾燥条件を設定する各コースを順次選択することができ、選択した乾燥コースが乾燥コース表示部５９に表示される。
【００１９】
洗濯行程では、外蓋１４及び内蓋１３を開いて内槽４内に洗濯物と洗剤とを投入し、操作パネル３９の洗濯設定ボタン５５又は洗濯・乾燥設定ボタン５７を押して洗濯又は洗濯に引き続き乾燥を実施する設定入力を行うと共に、洗濯コースの選択及び／又は乾燥コースを選択する。スタートボタン５４の押圧により運転開始の入力がなされると、制御装置１０は攪拌翼６を回転させて布量検知手段４８により投入された洗濯物の量を検出し、図示しない給水弁を開いて内槽４内に洗濯物の量に対応する所定水位まで給水する。給水後にクラッチ９によりモータ８を攪拌翼６に接続してモータ８を回転させ、攪拌翼６を回転駆動することにより洗濯物及び水を攪拌する洗濯動作がなされる。
【００２０】
洗濯が終了すると、排水弁２６を開いて内槽４及び外槽３内の水を外部に排水し、クラッチ９によりモータ８を内槽４に接続してモータ８の回転により内槽４を回転駆動し、遠心力により洗濯物に含まれた水分を分離し、内槽４に形成された小穴から外槽３内に排出する脱水が実施される。脱水動作がなされた後、給水弁を開いて内槽４内に給水し、攪拌翼６を回転させて洗濯物を攪拌し、内槽４を回転させて脱水するすすぎ行程が実施されて洗濯物に含まれる洗剤成分の除去がなされる。
【００２１】
上記洗濯行程の終了後、引き続いて乾燥行程を実施する設定がなされている場合には、排水弁２６を閉じ、循環路切換弁２４を開いて空気の循環経路を形成し、攪拌翼６を正転、逆転させる回転動作により脱水によって内槽４の周壁に張り付いている洗濯物を引き剥がす攪拌動作を行いつつ、加熱手段１９及び循環ファン１８に通電して循環経路に空気を循環させる乾燥動作が実行される。
【００２２】
循環ファン１８から送風された空気が加熱手段１９によって加熱された温風は上部蛇腹ホース１７、温風噴出口２０を通じて内槽４内に送給され、攪拌される洗濯物から水分を蒸発させる。水分を含んだ空気は内槽の周面に形成された小穴から外槽３内に出て、排気口２２、下部蛇腹ホース２３、循環路切換弁２４を経て熱交換器１２を通るとき、熱交換器１２が図示しない送風機によって空冷されること、及び／又は熱交換器１２内に水が噴射されることにより冷却されるので水分の結露が生じて除湿がなされる。除湿された空気は再び循環ファン１８により加熱手段１９に向けて送り出され、加熱手段１９で加熱された温風は再び内槽４内に送給される。この空気循環により洗濯物は乾燥される。
【００２３】
上記行程は、操作パネル３９から洗濯もしくは洗濯・乾燥を選択した場合の行程であるが、濡れた衣類等を乾燥する乾燥行程のみを実施することができる。そのときには、操作パネル３９から乾燥を選択して内槽４内に濡れた衣類等を投入すると、上記乾燥行程と同様の乾燥動作が実行されて濡れた衣類等を乾燥させることができる。
【００２４】
本実施形態に係る洗濯乾燥機は、上記加熱手段１９を用いた空気の加熱構造に特徴を有している。加熱手段１９は送風管路３５内の送風機１８下流位置において、送風方向に直交する方向に並べて配された１対のＰＴＣヒータ１９ａ、１９ｂで構成されている。ＰＴＣヒータ１９ａ、１９ｂは、チタン酸バリウムに微量の希土類元素を添加した半導体化チタン酸バリウム等によるＰＴＣ（Ｐｏｓｉｔｉｖｅ  Ｔｅｍｐｅｒａｔｕｒｅ  Ｃｏｅｆｆｉｃｉｅｎｎｔ：正温度特性）発熱素子を用いたヒータで、両ＰＴＣヒータ１９ａ、１９ｂは同一のものである。加熱手段１９は図４（ａ）に示すように、２枚のＰＴＣ発熱板３０ａ，３０ｂそれぞれの両面に形成された金属箔電極にそれぞれ放熱フィン３１の一端が接合され、各放熱フィン３１の他端には端子用の電極板３２ａ、３２ｂ、３２ｃが接合されて構成されている。放熱フィン３１は、発熱するＰＴＣ発熱板３０ａ，３０ｂの熱を外部放散させる放熱板であると同時に、ＰＴＣ発熱板３０ａ，３０ｂに通電接続する通電接続体を構成している。ここでは第１のＰＴＣヒータ１９ａ，第２のＰＴＣヒータ１９ｂを積み重ね配置して加熱手段１９を構成しているので、中間の電極板３２ｃは第１及び第２の各ＰＴＣヒータ１９ａ，１９ｂの共通の端子電極となっている。各端子用の電極板３２ａ，３２ｂ，３２ｃにはそれぞれリード線３３ａ，３３ｂ，３３ｃの一端が接続され、他端にはそれぞれコネクタ３４ａ，３４ｂ，３４ｃが接続されている。
【００２５】
ＰＴＣ発熱素子は、図５に示すように、その温度が上昇して設定されたキュリー温度を超えると抵抗値が急増する特性を有しており、ＰＴＣヒータ１９ａ、１９ｂの温度上昇を所定温度以下に制限できて、安全上すぐれている。そしてコネクタ３４ａ，３４ｂ，３４ｃに電源を接続して電極板３２ａ，３２ｃ間及び電極板３２ｂ，３２ｃ間に電流を流すと、第１及び第２の各ＰＴＣヒータ１９ａ，１９ｂは発熱する。このＰＴＣヒータ１９ａ、１９ｂに紙面と直交する方向、即ち、図４（ｂ）に示すように、放熱フィン３１の間隙に空気を通過させると、発熱したＰＴＣ発熱板３０ａ，３０ｂの熱が伝熱した放熱フィン３１により送風空気は加熱される。
【００２６】
上記加熱手段１９は、図６に示すように、送風管路３５内の循環ファン１８の送風方向下流側に、循環ファン１８の送風空気の中心と、加熱手段１９の中心、即ち中間の端子板３２ｃの位置とが、位置ずれ量Ｓだけ偏心するように送風管路３５を屈曲させて配設される。このように加熱手段１９が偏心位置に配置されていることにより、循環ファン１８から送風される空気は、その多くが第１のＰＴＣヒータ１９ａ側を通過することになる。また、加熱手段１９は、図示するように送風管路３５の壁面との離隔間隔Ｇａ，Ｇｂが、第１のＰＴＣヒータ１９ａ側で小さく、第２のＰＴＣヒータ１９ｂ側で大きくなるように偏った位置に配置されている。ここでは、前記離隔間隔Ｇａ＝１ｍｍ、Ｇｂ＝５ｍｍとしている。このように配置することで、第２のＰＴＣヒータ１９ｂ側に流れた空気は、離隔間隔Ｇｂを流れ易くなり、第２のＰＴＣヒータ１９ｂ内を流れる量が減ることになる。一方、第１のＰＴＣヒータ１９ａ側に流れた空気は、離隔間隔Ｇａを流れにくく、第１のＰＴＣヒータ１９ａ内を流れる量の減少は抑えられることとなる。この加熱手段１９の送風管路３５の壁面との離隔間隔を第１のＰＴＣヒータ１９ａと第２のＰＴＣヒータ１９ｂとで異なるように配置することにより、ＰＴＣヒータ１９内を通過せず離隔間隔Ｇａ，Ｇｂを通る空気の量に差が生じ、加熱されない空気の量に差が生じるので、第２のＰＴＣヒータ１９ｂにより生成される温風は前述した循環ファン１８の中心から偏心させた構成とあいまって、より低い加熱温度とすることが可能となる。
【００２７】
上記のように加熱手段１９を循環ファン１８の中心及び送風管路３５の中心から偏心配置した構成により、同一規格の第１のＰＴＣヒータ１９ａ及び第２のＰＴＣヒータ１９ｂを一体に積み重ね配置しても、第１及び第２の各ＰＴＣヒータ１９ａ，１９ｂそれぞれの空気の加熱量を異なるようにできる。
【００２８】
また、第１及び第２の各ＰＴＣヒータ１９ａ，１９ｂは前述したパワースイッチング手段４２によりそれぞれ個別に通電制御され、第１のＰＴＣヒータ１９ａ及び第２のＰＴＣヒータ１９ｂの両方に通電する状態と、加熱量が大きい第１のＰＴＣヒータ１９ａにのみ通電する状態と、加熱量が小さい第２のＰＴＣヒータ１９ｂにのみ通電する状態とに切り換える通電制御がなされる通電制御手段が構成されている。
【００２９】
乾燥行程の選択において、図３に示す操作パネル３９から「ハイスピードコース」が選択されているときには、体操服やタオルなどのシワが気にならない洗濯物を早く乾燥仕上げしたい場合に選択する乾燥コースなので、第１及び第２の各ＰＴＣヒータ１９ａ，１９ｂの両方に通電して内槽４内に送給する温風の温度を高くすると共に、乾燥時間を記憶手段４６に記憶されている所定値に設定して乾燥行程を実施する。また、「厚物コース」が選択されているときには、トレーナやバスタオルなどの厚手の洗濯物をしっかり乾燥したいときなので、第１及び第２の各ＰＴＣヒータ１９ａ，１９ｂの両方に通電して内槽４内に送給する温風の温度を高くすると共に、乾燥時間を記憶手段４６に記憶されている所定値に設定して乾燥行程を実施する。このときの乾燥時間はハイスピードコースより長い時間に設定される。また、「おまかせコース」が選択されているときは、パジャマや靴下など一般的な洗濯物をまとめて乾燥仕上げしたいときなので、第１のＰＴＣヒータ１９ａだけに通電して内槽４内に送給する温風の温度を中間温度にすると共に、乾燥時間を記憶手段４６に記憶されている所定値に設定して乾燥行程を実施する。また、「ソフト乾燥コース」が選択されているときには、ブラウス、ランジェリなどデリケートな化学繊維やシワが気になる薄手の衣類をソフトに乾燥したいときなので、布量検知手段４８による洗濯物の乾燥量を他のコースより低く設定した乾燥可能量が記憶手段４６から制御手段４０に出力される。更に、第２のＰＴＣヒータ１９ｂにのみ通電して内槽４内に送給する温風の温度を低くすると共に、乾燥時間を記憶手段４６に記憶されている所定値に設定して乾燥行程を実施する。
【００３０】
尚、「ハイスピードコース」及び「厚物コース」が選択されたときの温風の温度は１００℃以上に加熱されるので、内蓋１３にはフタロック機構が働き、乾燥行程が終了するまで内蓋１３を開くことができないように制御される。「おまかせコース」及び「ソフト乾燥コース」が選択されたときの温風の温度は９０℃以下に設定されるのでフタロック機構は作動せず、乾燥行程中でも乾いたものから途中で取り出すことを可能にしている。
【００３１】
以上説明したように本実施形態の構成においては、同一規格の２つのＰＴＣヒータ１９ａ，１９ｂを積み重ね配置して一体に形成した加熱手段１９を用いて３種類の加熱温度を得ることができる。この加熱温度の選択と、乾燥時間の選択とによって、より多くの洗濯物の種類に対応する乾燥を選ぶことが可能となる。加熱手段１９を構成するＰＴＣヒータの個数を増加すると、乾燥温度をより多くの段階に設定することができる。
【００３２】
【発明の効果】
以上説明した通り本発明によれば、低コストかつ管理容易で、洗濯物を乾燥する温風の温度を複数段階に設定することができ、洗濯物の種類に対応する乾燥温度を選択してシワや乾燥ムラのない乾燥状態を得る洗濯乾燥機を提供することができる。
【図面の簡単な説明】
【図１】実施形態に係る洗濯乾燥機の全体構成を示す断面図。
【図２】同上洗濯乾燥機の制御回路構成を示すブロック図。
【図３】操作パネルの構成を示す平面図。
【図４】加熱手段の構成を示す（ａ）は正面図、（ｂ）は（ａ）のＢ−Ｂ線矢視断面図。
【図５】ＰＴＣ発熱素子の温度−抵抗特性を示すグラフ。
【図６】ＰＴＣヒータ及び循環ファンの送風管路内への配置構造を示す断面図。
【図７】従来技術に係る洗濯乾燥機の全体構成を示す断面図。
【符号の説明】
１  筐体
２  サスペンション
３  外槽
４  内槽
６  攪拌翼
８  モータ
１０  制御装置
１２  熱交換器
１８  循環ファン（送風機）
１９  加熱手段
１９ａ  第１のＰＴＣヒータ
１９ｂ  第２のＰＴＣヒータ
３０ａ、３０ｂ  ＰＴＣ発熱板
３１  放熱フィン
３２ａ、３２ｂ、３２ｃ  電極板
３５  送風管路
４２  パワースイッチング手段（通電制御手段）
【図１】
2004313417.tif 000003
【図２】
2004313417.tif 000004
【図３】
2004313417.tif 000005
【図４】
2004313417.tif 000006
【図５】
2004313417.tif 000007
【図６】
2004313417.tif 000008
【図７】
2004313417.tif 000009